(57)【特許請求の範囲】
【請求項１】
第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、
前記一方のコネクタは、前記取付孔に取り付けられる際に内側面側に撓み変形して前記取付孔に挿通される係止ロック部を有し、
前記レバーは、該レバーの回動中に前記一方のコネクタの内側面側に位置するアーム部と、前記係止ロック部が前記取付孔に挿通された状態で前記取付孔の孔縁に当接することにより前記レバーを回動させるパネル当接部とを有し、
前記アーム部は、前記レバーが前記第１コネクタと前記第２コネクタとが半嵌合状態となる回動位置にあるときに前記係止ロック部の内側面側に位置して撓み変形を許容する変形許容部と、前記レバーが前記第１コネクタと前記第２コネクタとが完全嵌合状態となる回動位置にあるときに前記係止ロック部の内側面側に位置して撓み変形を阻止する変形阻止部とを有し、
前記レバーは、前記パネル当接部を前記孔縁に当接した状態で前記孔縁に対して押圧することにより前記第１コネクタと前記第２コネクタとが完全嵌合状態となる回動位置まで回動することを特徴とするレバー式コネクタ。
【請求項２】
請求項１に記載のレバー式コネクタであって、
前記変形許容部は、前記アーム部の表面に形成した凹溝部で構成されており、
前記凹溝部以外の前記アーム部の表面によって前記変形阻止部が構成されていることを特徴とするレバー式コネクタ。
【請求項３】
請求項１又は請求項２に記載のレバー式コネクタであって、
前記レバーは、該レバーを回動操作する操作部を更に有し、
前記レバーは、前記操作部の回動操作又は前記パネル当接部を前記孔縁に当接した状態で前記孔縁に対して押圧することにより回動することを特徴とするレバー式コネクタ。
【発明の詳細な説明】
【技術分野】
【０００１】
本発明は、パネルに取り付けられるレバー式コネクタに関する。
【背景技術】
【０００２】
従来、パネルに取り付けられるレバー式コネクタとしては、第１コネクタと、この第１コネクタと嵌合可能な第２コネクタと、第１コネクタに設けられ回動によって第１コネクタと第２コネクタとを嵌合させるレバーとを備え、第１コネクタと第２コネクタとが嵌合状態でパネルの取付孔に取り付けられるものが知られている（例えば、特許文献１参照）。
【０００３】
このレバー式コネクタでは、コネクタ同士が半嵌合状態のままでパネルに取り付けられるのを防止するため、レバーに干渉部が形成されている。この干渉部は、コネクタ同士が完全嵌合状態であるときにはパネルの取付孔の孔縁とは非干渉であり、コネクタ同士が半嵌合状態であるときには取付孔の孔縁と干渉する。
【０００４】
このため、コネクタ同士をパネルの取付孔に取り付ける過程で、干渉部が取付孔の孔縁と干渉するか否かによって、コネクタ同士の嵌合状態を検知することができる。
【０００５】
そして、干渉部が取付孔の孔縁と干渉しない状態（コネクタ同士が正規嵌合状態）で、コネクタ同士が取付孔に嵌め込まれると、干渉部に形成された弾性抜止片が取付孔を挿通して、取付孔の孔縁に対して裏側から係止することによりコネクタ同士がパネルに取り付けられる。
【先行技術文献】
【特許文献】
【０００６】
【特許文献１】特開２００２−３５９０３７号公報
【発明の概要】
【発明が解決しようとする課題】
【０００７】
ところで、上記のようなレバー式コネクタでは、レバーの回動角度によってコネクタ同士が半嵌合状態から完全嵌合状態となる。このため、レバーの回動角度が、完全嵌合状態に近い角度の場合、干渉部と取付孔の孔縁との干渉が小さくなり、コネクタ同士が半嵌合状態であるにも関わらず取付孔に嵌め込めてしまうことがある。この場合には、コネクタ同士が半嵌合状態であることを検知することが困難であった。
【０００８】
また、弾性抜止片は、レバー式コネクタを取付孔に嵌め込む際、取付孔の孔縁により弾性変位するように構成されている。このため、コネクタ同士をパネルの取付孔に取り付けた後に外力により弾性抜止片が弾性変位した場合、コネクタ同士が取付孔から外れるおそれがある。
【０００９】
そこで、本発明は、コネクタ同士が半嵌合状態のままでパネルに取り付けられるのを防止するという従来の課題を解決しつつ、さらに、コネクタ同士がパネルから外れることを防止することができるレバー式コネクタを提供することを目的とする。
【課題を解決するための手段】
【００１０】
上記目的を達成するため、本願請求項１に記載した本発明のレバー式コネクタは、第１コネクタと、この第１コネクタと嵌合可能な第２コネクタと、前記第１コネクタと前記第２コネクタとのうちいずれか一方のコネクタに設けられ回動によって前記第１コネクタと前記第２コネクタとを嵌合させるレバーとを備え、前記第１コネクタと前記第２コネクタとが嵌合状態でパネルの取付孔に取り付けられるレバー式コネクタであって、前記一方のコネクタは、前記取付孔に取り付けられる際に内側面側に撓み変形して前記取付孔に挿通される係止ロック部を有し、前記レバーは、該レバーの回動中に前記一方のコネクタの内側面側に位置するアーム部と、前記係止ロック部が前記取付孔に挿通された状態で前記取付孔の孔縁に当接することにより前記レバーを回動させるパネル当接部とを有し、前記アーム部は、前記レバーが前記第１コネクタと前記第２コネクタとが半嵌合状態となる回動位置にあるときに前記係止ロック部の内側面側に位置して撓み変形を許容する変形許容部と、前記レバーが前記第１コネクタと前記第２コネクタとが完全嵌合状態となる回動位置にあるときに前記係止ロック部の内側面側に位置して撓み変形を阻止する変形阻止部とを有し、前記レバーは、前記パネル当接部を前記孔縁に当接した状態で前記孔縁に対して押圧することにより前記第１コネクタと前記第２コネクタとが完全嵌合状態となる回動位置まで回動することを特徴とする。
【００１１】
請求項２に記載した本発明のレバー式コネクタは、請求項１に記載のレバー式コネクタであって、前記変形許容部は、前記アーム部の表面に形成した凹溝部で構成されており、前記凹溝部以外の前記アーム部の表面によって前記変形阻止部が構成されていることを特徴とする。
【００１２】
請求項３に記載した本発明のレバー式コネクタは、請求項１又は請求項２に記載のレバー式コネクタであって、前記レバーは、該レバーを回動操作する操作部を更に有し、前記レバーは、前記操作部の回動操作又は前記パネル当接部を前記孔縁に当接した状態で前記孔縁に対して押圧することにより回動することを特徴とする。
【発明の効果】
【００１３】
請求項１に記載した本発明のレバー式コネクタによれば、コネクタ同士が半嵌合状態の場合、係止ロック部の内側面側に変形許容部が位置するため、係止ロック部の撓み変形が許容されて、コネクタ同士をパネルの取付孔に取り付けることができる。
【００１４】
一方、パネル当接部を孔縁に当接した状態で孔縁に対して押圧することによりコネクタ同士を完全嵌合状態とした場合、係止ロック部の内側面側に変形阻止部が位置する。このため、係止ロック部の撓み変形が阻止されて、完全嵌合したコネクタ同士がパネルの取付孔から外れることを防止することができる。
【００１５】
また、レバーは、パネル当接部を孔縁に当接した状態で孔縁に対して押圧することによりコネクタ同士を完全嵌合状態となる回動位置まで回動する。このため、コネクタ同士が半嵌合状態のままでパネルに取り付けられることを確実に防止することができる。
【００１６】
従って、コネクタ同士が半嵌合状態のままでパネルに取り付けられるのを防止しつつ、さらに、コネクタ同士がパネルから外れることを防止することができるレバー式コネクタを提供することができる。
【００１７】
請求項２に記載した本発明のレバー式コネクタによれば、変形許容部は、アーム部の表面に形成した凹溝で構成され、凹溝以外のアーム部の表面によって変形阻止部が構成されている。このため、簡単な構造で係止ロック部の撓み変形を阻止又は許容することができる。
【００１８】
請求項３に記載した本発明のレバー式コネクタによれば、操作部によってコネクタ同士を半嵌合状態とした後、パネル当接部を孔縁に当接した状態で孔縁に対して押圧することによりコネクタ同士が完全嵌合状態とすることができる。このため、コネクタ同士の嵌合作業を容易にすることができる。
【図面の簡単な説明】
【００１９】
【図１】本発明の実施形態に係るレバー式コネクタの分解斜視図である。
【図２】本発明の実施形態に係るレバーを示す斜視図である。
【図３】本発明の実施形態に係るコネクタ同士が半嵌合の状態を示す斜視図及び断面図である。
【図４】本発明の実施形態に係るコネクタ同士が半嵌合状態の場合の係止ロック部とアーム部との関係を示す断面図である。
【図５】本発明の実施形態に係るコネクタ同士が半嵌合状態の場合の変形許容部の位置を示す側面図である。
【図６】本発明の実施形態に係るコネクタ同士が完全嵌合の状態を示す斜視図及び断面図である。
【図７】本発明の実施形態に係るコネクタ同士が完全嵌合状態の場合の係止ロック部とアーム部との関係を示す断面図である。
【図８】本発明の実施形態に係るコネクタ同士が完全嵌合状態の場合の変形阻止部の位置を示す側面図である。
【発明を実施するための形態】
【００２０】
以下、本発明の実施形態について図面を参照して説明する。はじめに、図１及び図２を参照して、本発明の実施形態に係るレバー式コネクタの構成について詳細に説明する。図１は、本発明の実施の形態に係るレバー式コネクタの分解斜視図である。図２は、本発明の実施形態に係るレバーを示す斜視図である。
【００２１】
本発明の実施形態に係るレバー式コネクタは、複数の端子金具を有する雌雄のコネクタ（後述する第１コネクタ及び第２コネクタ）を低挿入力（Ｌｏｗ  Ｉｎｓｅｒｔｉｏｎ  Ｆｏｒｃｅ）で嵌合させるＬＩＦコネクタに関するものである。
【００２２】
図１に示すように、本発明の実施形態に係るレバー式コネクタ１は、第１コネクタ１１と、この第１コネクタ１１と嵌合可能な第２コネクタ２１と、第１コネクタ１１に設けられ回動によって第１コネクタ１１と第２コネクタ２１とを嵌合させるレバー３１とから略構成されている。
【００２３】
そして、上記のように構成されたレバー式コネクタ１は、第１コネクタ１１と第２コネクタ２１とが半嵌合状態で後述するパネル５１に形成された取付孔５２に嵌め込まれる。
【００２４】
第１コネクタ１１と第２コネクタ２１とが後述する取付孔５２に嵌め込まれた後、レバー式コネクタ１を後述するパネル５１に対して押圧してレバー３１を回動することにより、コネクタ同士１１、２１を完全嵌合状態とするとともに、コネクタ同士１１、２１がパネル５１に取り付けられる。
【００２５】
第１コネクタ１１（雌コネクタ）は、電線端末に設けられた雌型端子金具（図示省略）を収容するインナハウジング１２と、内部にインナハウジング１２を収容するフレーム１３とを有している。
【００２６】
インナハウジング１２は、２つの筐体部材を上下に２段重ねた構造となっており、内部に複数の雌型端子金具（図示省略）が収容される。このインナハウジング１２は、フレーム１３内に収容される。
【００２７】
フレーム１３は、撓み変形可能に設けられた複数（本発明の実施形態では４箇所）の係止ロック部１４と、フレーム１３の外周に形成されたフランジ部１５と、後述するレバー３１の回転軸ピン３４（図２参照）が挿入される一対（片側省略）の回転軸孔１６とを有している。
【００２８】
複数の係止ロック部１４は、第１コネクタ１１の外側（例えば、後述する図４の矢印Ｘ方向側）に突出した係止突部１７と、第１コネクタ１１の内側（例えば、後述する図４の矢印Ｙ方向側）に設けられてレバー３１と当接可能な係止当接部１８とを有している（後述する図４参照）。
【００２９】
そして、上記のように構成された複数の係止ロック部１４は、後述するパネル５１の取付孔５２に取り付けられる際、第１コネクタ１１の内側面側（例えば、後述する図４の矢印Ｙ方向側）に撓み変形して後述する取付孔５２に挿通される。
【００３０】
係止突部１７は、半嵌合状態である第１コネクタ１１と第２コネクタ２１とをパネル５１の表面側（図１及び後述する図４の矢印Ｚ方向側）に押圧すると、後述するパネル５１の裏面側５４（図１参照）から当接してコネクタ同士１１、２１をパネル５１に固定する（後述する図４参照）。
【００３１】
係止当接部１８は、後述するレバー３１の変形阻止部３６（図２参照）と当接することにより係止ロック部１４の撓み変形を阻止する。また、係止当接部１８は、後述するレバー３１の変形許容部３７（図２参照）によりレバー３１と非当接の状態となることで係止ロック部１４の撓み変形を許容する（後述する図５及び図８参照）。
【００３２】
フランジ部１５は、第１コネクタ１１と第２コネクタ２１とが完全嵌合状態でパネル５１の取付孔５２に取り付けられると、後述するパネル５１の表面側（図１及び後述する図４の矢印Ｚ方向側）から孔縁５３に当接する（後述する図６（ｂ）参照）。
【００３３】
一対の回転軸孔１６には、後述するレバー３１に設けられた一対の回転軸ピン３４（図２参照）が第１コネクタ１１の内壁側からそれぞれ挿入される。この回転軸孔１６に回転軸ピン３４が挿入されることにより、レバー３１が第１コネクタ１１（フレーム１３）に対して回転自在に取り付けられる。
【００３４】
第２コネクタ２１は、インナハウジング２１よりも大きな２つの筐体部材を上下に２段重ねた構造となっており、内部に複数の雄型端子金具（図示省略）が収容される。この雄型端子金具は、第１コネクタ１１と第２コネクタ２１とが完全嵌合状態となると、インナハウジング１２の内部に収容された雌型端子金具（図示省略）と接続される。
【００３５】
また、第２コネクタ２１の両側面には、後述するレバー３１のカム溝３５（図２参照）に挿入するカムフォロア２２がそれぞれ突設されている（片側省略）。このカムフォロア２２をカム溝３５に挿入してレバー３１を回動することにより、第２コネクタ２１が第１コネクタ１１側へ引き込まれる。
【００３６】
図２に示すように、レバー３１は、回動中に第１コネクタ１１（図１参照）の内側面側（例えば、後述する図４の矢印Ｘ方向側）に位置する一対のアーム部３２と、この一対のアーム部３２を連結する連結部３３とを有している。
【００３７】
一対のアーム部３２は、フレーム１３の回転軸孔１６（図１参照）に挿入する一対の回転軸ピン３４（片側省略）と、第２コネクタ２１のカムフォロア２２（図１参照）が挿入される一対のカム溝３５と、フレーム１３の係止ロック部１４の撓み変形を阻止する変形阻止部３６と、係止ロック部１４の撓み変形を許容する変形許容部３７とを有している。
【００３８】
一対の回転軸ピン３４は、第１コネクタ１１の内壁側から回転軸孔１６（図１参照）に挿入することにより、レバー３１が第１コネクタ１１（フレーム１３）に対して回転自在に取り付けられる。
【００３９】
カム溝３５は、一対のアーム部３２にそれぞれ形成されており、カムフォロア２２（図１参照）が挿入された状態でレバー３１を回転すると、カムフォロア２２と回転軸ピン３４との距離が可変されて、第２コネクタ２１が第１コネクタ１１側（図１参照）に移動する。
【００４０】
変形阻止部３６は、アーム部３２の表面に形成した凹溝（変形許容部３７）以外の表面によって構成されている。この変形阻止部３６は、レバー３１が第１コネクタ１１と第２コネクタ２１とが完全嵌合状態となる回動位置にあるときに係止ロック部１４の内側面側（例えば、後述する図４の矢印Ｙ方向側）に位置し、係止ロック部１４の撓み変形を阻止する（後述する図４及び図５参照）。
【００４１】
つまり、変形阻止部３６は、係止ロック部１４の内側面側（例えば、後述する図４の矢印Ｙ方向側）に位置することにより、係止ロック部１４の係止当接部１８と当接して、係止ロック部１４の撓み変形を阻止する。
【００４２】
変形許容部３７は、アーム部３２の表面に形成した凹溝で構成されている。この変形許容部３７は、レバー３１が第１コネクタ１１と第２コネクタ２１とが半嵌合状態となる回動位置にあるときに係止ロック部１４の内側面側に位置し、係止ロック部１４の撓み変形を許容する（後述する図７及び図８参照）。
【００４３】
つまり、変形許容部３７は、係止ロック部１４の内側面側（例えば、後述する図４の矢印Ｙ方向側）に位置することにより、係止ロック部１４の係止当接部１８とレバー３１のアーム部３２とが非当接の状態となり、係止ロック部１４の撓み変形を許容する。
【００４４】
このように、変形許容部３７は、アーム部３２の表面に形成した凹溝で構成され、凹溝以外のアーム部３２の表面によって変形阻止部３６が構成されている。このため、簡単な構造で係止ロック部１４の撓み変形を阻止又は許容することができる。
【００４５】
上述したアーム部３２は、レバー３１が第１コネクタ１１と第２コネクタ２１とが半嵌合状態となる回動位置（例えば、図３から図５に示すレバー３１の位置）にあるときには、係止ロック部１４の内側面側（例えば、後述する図４の矢印Ｙ方向側）に変形許容部３７が位置するようにレバー３１の回動に対応して変位する。
【００４６】
また、このアーム部３２は、レバー３１が第１コネクタ１１と第２コネクタ２１とが完全嵌合状態となる回動位置（例えば、図６から図８に示すレバー３１の位置）にあるときには、係止ロック部１４の内側面側（例えば、後述する図４の矢印Ｙ方向側）に変形阻止部３６が位置するようにレバー３１の回動に対応して変位する。
【００４７】
そして、レバー３１の回動位置によって、係止ロック部１４の内側面側（例えば、後述する図４の矢印Ｙ方向側）に変形阻止部３６又は変形許容部３７が位置するように、アーム部３２には、レバー３１の回動角度に対応して変形阻止部３６及び変形許容部３７が形成されている。
【００４８】
連結部３３は、レバー３１を回動して第１コネクタ１１と第２コネクタ２１とを半嵌合状態とする際に回動操作される操作部３８と、係止ロック部１４が後述するパネル５１の取付孔５２に挿通された状態で後述する取付孔５２の孔縁５３に当接することによりレバー３１を回動させるパネル当接部３９とを有している。
【００４９】
パネル５１は、縦長長円形で係止ロック部１４が挿通可能な取付孔５２と、フランジ部１５が当接可能な孔縁５３と、係止突部１７が当接可能な裏面側５４とを有している（図１参照）。
【００５０】
操作部３８を図２に示す矢印Ａ方向に操作してレバー３１を回動すると、連結部３３が回転軸ピン３４（回動中心）を中心として円弧状に変位する。
【００５１】
パネル当接部３９は、板状に形成されてレバー３１の外方に突出して設けられている。このパネル当接部３９は、パネル５１の孔縁５３に当接した状態で孔縁５３に対して押圧されると、レバー３１を回動して操作部３８により半嵌合状態とした第１コネクタ１１と第２コネクタ２１とを完全嵌合状態とする。
【００５２】
このようにして、操作部３８によってコネクタ同士１１、２１を半嵌合状態とした後、パネル当接部３９を孔縁５３に当接した状態で孔縁５３に対して押圧することによりコネクタ同士１１、２１が完全嵌合状態とすることができる。このため、コネクタ同士１１、２１の嵌合作業を容易にすることができる。
【００５３】
また、パネル当接部３９を孔縁５３に当接した状態で孔縁５３に対して押圧することによりコネクタ同士１１、２１が完全嵌合状態となるため、コネクタ同士１１、２１が半嵌合状態のままでパネル５１に取り付けられることをより確実に防止することができる。
【００５４】
そして、上述した第１コネクタ１１と第２コネクタ２１とは、半嵌合状態でパネル５１の取付孔５２に嵌め込まれ、レバー３１をパネル５１に対して押圧することにより、完全嵌合状態でパネル５１に取り付けられる（後述する図３から図８参照）。
【００５５】
次に、図３から図８を参照して、本発明の実施形態に係るレバー式コネクタの嵌合作業について説明する。図３（ａ）は、本発明の実施形態に係るコネクタ同士が半嵌合の状態を示す斜視図である。図３（ｂ）は、図３（ａ）の断面図である。
【００５６】
また、図４は、本発明の実施形態に係るコネクタ同士が半嵌合状態の場合の係止ロック部とアーム部との関係を示す断面図である。図５は、本発明の実施形態に係るコネクタ同士が半嵌合状態の場合の変形許容部の位置を示す側面図である。
【００５７】
さらに、図６（ａ）は、本発明の実施形態に係るコネクタ同士が完全嵌合の状態を示す斜視図である。図６（ｂ）は、図６（ａ）の断面図である。図７は、本発明の実施形態に係るコネクタ同士が完全嵌合状態の場合の係止ロック部とアーム部との関係を示す断面図である。図８は、本発明の実施形態に係るコネクタ同士が完全嵌合状態の場合の変形阻止部の位置を示す側面図である。
【００５８】
第１コネクタ１１に第２コネクタ２１を嵌合する際、はじめに、レバー３１の回転軸ピン３４をフレーム１３の回転軸孔１６に挿通することにより、レバー３１を第１コネクタ１１（フレーム１３）に対して回転自在に取り付ける（例えば、図３及び図４参照）。
【００５９】
レバー３１を第１コネクタ１１に取り付けると、レバー３１を初期位置（例えば、図１に示す位置）に保持した状態でフレーム１３に第２コネクタ２１を浅く嵌入させ、カムフォロア２２をカム溝３５に挿入させる。
【００６０】
カムフォロア２２をカム溝３５に挿入させた状態でレバー３１の操作部３８を回動操作すると、カムフォロア２２と回転軸ピン３４との距離が短くなり、第２コネクタ２１が第１コネクタ１１側へ引き込まれる。
【００６１】
そして、レバー３１を第１コネクタ１１と第２コネクタ２１とが半嵌合状態となる位置（図３から図５に示すレバー３１の位置）まで回動した後、図３（ａ）及び図３（ｂ）に示すように、コネクタ同士１１、２１をパネル５１の取付孔５２に嵌め込む。
【００６２】
ここで、レバー３１が、第１コネクタ１１と第２コネクタ２１とが半嵌合状態となる回動位置（図３から図５に示すレバー３１の位置）にあるとき、図４及び図５に示すように、係止ロック部１４の内側面側（例えば、図４の矢印Ｙ方向側）には変形許容部３７が位置する。
【００６３】
このため、図４及び図５に示すように、係止ロック部１４の係止当接部１８は、レバー３１のアーム部３２と非当接の状態となり、係止ロック部１４は、変形許容部３７により撓み変形が許容される。
【００６４】
そして、係止ロック部１４の撓み変形が許容されているため、第１コネクタ１１と第２コネクタ２１とをパネル５１の取付孔５２に嵌め込む際、コネクタ同士１１、２１をパネル５１の表面側（図１及び図４の矢印Ｚ側）に押圧する力によって係止ロック部１４が第１コネクタ１１の内側面側（例えば、図４の矢印Ｙ方向側）に撓み変形して取付孔５２に挿通される（図４参照）。
【００６５】
係止ロック部１４が取付孔５２を挿通した後、撓み変形していた係止ロック部１４が復元して、係止突部１７がパネル５１の裏面側５４から当接する（図４参照）。また、係止ロック部１４が取付孔５２に挿通されると、図３（ｂ）に示すように、レバー３１のパネル当接部３９が孔縁５３と当接する。
【００６６】
そして、パネル当接部３９が孔縁５３と当接した状態で、レバー式コネクタ１をパネル５１の表面側（図１及び図４（ａ）の矢印Ｚ方向側）に押すことによりパネル当接部３９を孔縁５３に対して押圧する。
【００６７】
パネル当接部３９を孔縁５３に対して押圧すると、レバー３１は、第１コネクタ１１と第２コネクタ２１とが半嵌合状態となる位置（図３から図５に示す位置）から完全嵌合状態となる位置（図６から図８に示す位置）へ回動し、第１コネクタ１１と第２コネクタ２１とがパネル５１の取付孔５２に取り付けられる（図６（ａ）及び図６（ｂ）参照）。
【００６８】
また、第１コネクタ１１と第２コネクタ２１とが完全嵌合状態となると、第１コネクタ１１の雌端子金具（図示省略）と第２コネクタ２１の雄端子金具（図示省略）とが導通可能に接続される。
【００６９】
ここで、レバー３１が、第１コネクタ１１と第２コネクタ２１とが完全嵌合状態となる回動位置（図６から図８に示すレバー３１の位置）にあるとき、図７及び図８に示すように、係止ロック部１４の内側面側（例えば、後述する図４の矢印Ｙ方向側）には変形阻止部３６が位置する。
【００７０】
このため、図７及び図８に示すように、係止ロック部１４の係止当接部１８が変形阻止部３６と当接して、係止ロック部１４は、変形阻止部３６により撓み変形が阻止される。
【００７１】
このように、レバー３１が、第１コネクタ１１と第２コネクタ２１とが完全嵌合状態となる回動位置（図６から図８に示すレバー３１の位置）では、係止ロック部１４は、変形阻止部３６により撓み変形が阻止されて、取付孔５２を挿通することができない。
【００７２】
このため、第１コネクタ１１と第２コネクタ２１とがパネル５１の取付孔５２に取り付けられた後に、係止ロック部１４に外力がかかっても係止ロック部１４が撓み変形することがなく、コネクタ同士１１、２１が取付孔５２から外れることを防止することができる。
【００７３】
そして、第１コネクタ１１と第２コネクタ２１とが完全嵌合状態となると、フランジ部１５がパネル５１の表面側（図１及び図４の矢印Ｚ側）から孔縁５３に当接することにより第１コネクタ１１と第２コネクタ２１とがパネル５１の取付孔５２に固定される（図６（ｂ）参照）。
【００７４】
このようにして、コネクタ同士１１、２１が半嵌合状態の場合、係止ロック部１４の内側面側に変形許容部３７が位置するため、係止ロック部１４の撓み変形が許容されて、コネクタ同士１１、２１をパネル５１の取付孔５２に取り付けることができる。
【００７５】
一方、パネル当接部３９を孔縁５３に当接した状態で孔縁５３に対して押圧することによりコネクタ同士１１、２１を完全嵌合状態とした場合、係止ロック部１４の内側面側に変形阻止部３６が位置する。このため、係止ロック部１４の撓み変形が阻止されて、完全嵌合したコネクタ同士１１、２１がパネル５１の取付孔５２から外れることを防止することができる。
【００７６】
また、レバー３１は、パネル当接部３９を孔縁５３に当接した状態で孔縁５３に対して押圧することによりコネクタ同士１１、２１を完全嵌合状態となる回動位置まで回動する。このため、確実にコネクタ同士１１、２１が半嵌合状態のままでパネル５１に取り付けられることを防止することができる。
【００７７】
このようにして、本発明の実施形態に係るレバー式コネクタ１は、第１コネクタ１１と、この第１コネクタ１１と嵌合可能な第２コネクタ２１と、第１コネクタ１１と第２コネクタ２１とのうちいずれか一方のコネクタ１１に設けられ回動によって第１コネクタ１１と第２コネクタ２１とを嵌合させるレバー３１とを備え、第１コネクタ１１と第２コネクタ２１とが嵌合状態でパネル５１の取付孔５２に取り付けられるレバー式コネクタ１であって、一方のコネクタ１１は、取付孔５２に取り付けられる際に内側面側に撓み変形して取付孔５２に挿通される係止ロック部１４を有し、レバー３１は、レバー３１の回動中に一方のコネクタ１１の内側面側に位置するアーム部３２と、係止ロック部１４が取付孔５２に挿通された状態で取付孔５２の孔縁５３に当接することによりレバー３１を回動させるパネル当接部３９とを有し、アーム部３２は、レバー３１が第１コネクタ１１と第２コネクタ２１とが半嵌合状態となる回動位置にあるときに係止ロック部１４の内側面側に位置して撓み変形を許容する変形許容部３７と、レバー３１が第１コネクタ１１と第２コネクタ２１とが完全嵌合状態となる回動位置にあるときに係止ロック部１４の内側面側に位置して撓み変形を阻止する変形阻止部３６とを有し、レバー３１は、パネル当接部３９を孔縁５３に当接した状態で孔縁５３に対して押圧することにより第１コネクタ１１と第２コネクタ２１とが完全嵌合状態となる回動位置まで回動する。
【００７８】
また、本発明の実施形態に係るレバー式コネクタ１は、変形許容部３７は、アーム部３２の表面に形成した凹溝部で構成されており、凹溝部以外のアーム部３２の表面によって変形阻止部３６が構成されている。
【００７９】
さらに、本発明の実施形態に係るレバー式コネクタ１は、レバー３１は、レバー３１を回動操作する操作部３８を更に有し、レバー３１は、操作部３８の回動操作又はパネル当接部３９を孔縁５３に当接した状態で孔縁５３に対して押圧することにより回動する。
【００８０】
そして、本発明の実施形態に係るレバー式コネクタ１によれば、コネクタ同士１１、２１が半嵌合状態の場合、係止ロック部１４の内側面側に変形許容部３７が位置するため、係止ロック部１４の撓み変形が許容されて、コネクタ同士１１、２１をパネル５１の取付孔５２に取り付けることができる。
【００８１】
一方、パネル当接部３９を孔縁５３に当接した状態で孔縁５３に対して押圧することによりコネクタ同士１１、２１を完全嵌合状態とした場合、係止ロック部１４の内側面側に変形阻止部３６が位置する。このため、係止ロック部１４の撓み変形が阻止されて、完全嵌合したコネクタ同士１１、２１がパネル５１の取付孔５２から外れることを防止することができる。
【００８２】
また、レバー３１は、パネル当接部３９を孔縁５３に当接した状態で孔縁５３に対して押圧することによりコネクタ同士１１、２１を完全嵌合状態となる回動位置まで回動する。このため、確実にコネクタ同士１１、２１が半嵌合状態のままでパネル５１に取り付けられることを防止することができる。
【００８３】
従って、コネクタ同士１１、２１が半嵌合状態のままでパネル５１に取り付けられるのを防止しつつ、さらに、コネクタ同士１１、２１がパネル５１から外れることを防止することができるレバー式コネクタ１を提供することができる。
【００８４】
また、本発明のレバー式コネクタ１によれば、変形許容部３７は、アーム部３２の表面に形成した凹溝で構成され、凹溝以外のアーム部３２の表面によって変形阻止部３６が構成されている。このため、簡単な構造で係止ロック部１４の撓み変形を阻止又は許容することができる。
【００８５】
さらに、本発明のレバー式コネクタ１によれば、操作部３８によってコネクタ同士１１、２１を半嵌合状態とした後、パネル当接部３９を孔縁５３に当接した状態で孔縁５３に対して押圧することによりコネクタ同士１１、２１が完全嵌合状態とすることができる。このため、コネクタ同士１１、２１の嵌合作業を容易にすることができる。
【００８６】
以上、本発明のレバー式コネクタを図示の実施形態に基づいて説明したが、本発明はこれに限定されるものではなく、各部の構成は、同様の機能を有する任意の構成のものに置き換えることができる。
【００８７】
例えば、上記した実施形態では、係止ロック部１４は、フレーム１３に４箇所設けられている場合について説明したが、係止ロック部１４の数は適宜変更が可能である。
【００８８】
この場合、少なくとも一つの係止ロック部１４は、コネクタ同士１１、２１が半嵌合状態の場合に内側面側に変形許容部３７が位置し、コネクタ同士１１、２１が完全嵌合状態の場合に内側面側に変形阻止部３６が位置する場所に設ける。これにより、上述した本発明の実施形態に係るレバー式コネクタ１と同様の作用効果を得ることができる。
【産業上の利用可能性】
【００８９】
本発明は、レバー式コネクタのコネクタ同士が半嵌合状態のままでパネルに取り付けられるのを防止しつつ、さらに、レバー式コネクタのコネクタ同士がパネルから外れることを防止する上で極めて有用である。
【符号の説明】
【００９０】
１      レバー式コネクタ
１１    第１コネクタ
１２    インナハウジング
１３    フレーム
１４    係止ロック
１５    フランジ部
１６    回転軸孔
１７    係止突部
１８    係止当接部
２１    第２コネクタ
２２    カムフォロア
３１    レバー
３２    アーム部
３３    連結部
３４    回転軸ピン
３５    カム溝
３６    変形阻止部
３７    変形許容部
３８    操作部
３９    パネル当接部
５１    パネル
５２    取付孔
５３    孔縁
５４    裏面側
【図１】
0005707257.tif 000002
【図２】
0005707257.tif 000003
【図３】
0005707257.tif 000004
【図４】
0005707257.tif 000005
【図５】
0005707257.tif 000006
【図６】
0005707257.tif 000007
【図７】
0005707257.tif 000008
【図８】
0005707257.tif 000009